(57)【特許請求の範囲】
【請求項１】
互いに直交する縦方向と横方向とを有する吸収性物品であって、
前方から着用者の腹側を覆う腹側外装部材と、後方から前記着用者の背側を覆う背側外装部材と、
排泄物を吸収する吸収体を備え、一端側が前記腹側外装部材の一部に重ねて接合され、他端側が前記背側外装部材の一部に重ねて接合された吸収性本体と、
を有し、
前記腹側外装部材及び前記背側外装部材は、前記縦方向において前記吸収性本体と重複し、かつ、前記横方向において前記吸収性本体と重複しない下方領域と、前記縦方向において前記吸収性本体と重複せず、かつ、前記横方向において前記吸収性本体と重複しない上方領域とをそれぞれ有し、
前記腹側外装部材及び前記背側外装部材のうちの、少なくとも一方の外装部材には、
前記横方向に所定の長さを有しつつ前記一方の外装部材を貫通する線状の切れ目が、前記縦方向及び前記横方向に所定の間隔で複数設けられており、
前記上方領域における前記線状の切れ目の合計の長さを、前記上方領域の前記縦方向の長さで除した値は、前記下方領域における前記線状の切れ目の合計の長さを、前記下方領域の前記縦方向の長さで除した値よりも小さく、
前記下方領域は、前記縦方向において前記吸収体と重複する重複領域と、前記縦方向において前記吸収体と重複しない非重複領域とを有し、
前記非重複領域における前記線状の切れ目の合計の長さを、前記非重複領域の前記縦方向の長さで除した値は、前記重複領域における前記線状の切れ目の合計の長さを、前記重複領域の前記縦方向の長さで除した値よりも小さい、
ことを特徴とする吸収性物品。
【請求項２】
請求項１に記載の吸収性物品であって、
前記上方領域及び前記下方領域の少なくとも一方において、前記横方向の或る一列に配置されている複数の前記線状の切れ目の合計の長さは、前記線状の切れ目が配置されている領域の前記横方向の長さの１／２よりも小さい、ことを特徴とする吸収性物品。
【請求項３】
請求項１または２に記載の吸収性物品であって、
前記横方向に隣り合う２つの前記線状の切れ目の間隔は、前記線状の切れ目の横方向の長さよりも長い、ことを特徴とする吸収性物品。
【請求項４】
請求項１〜３のいずれかに記載の吸収性物品であって、
前記腹側外装部材及び前記背側外装部材には、前記横方向に伸縮性を付与する弾性部材が、前記縦方向に所定の間隔で複数設けられており、
前記縦方向に隣り合う２つの前記弾性部材の間に前記線状の切れ目が配置されている、ことを特徴とする吸収性物品。
【請求項５】
請求項４に記載の吸収性物品であって、
前記弾性部材が伸縮する方向と、前記線状の切れ目の長手方向とが平行である、ことを特徴とする吸収性物品。
【請求項６】
互いに直交する縦方向と横方向とを有する吸収性物品であって、
前方から着用者の腹側を覆う腹側外装部材と、後方から前記着用者の背側を覆う背側外装部材と、
排泄物を吸収する吸収体を備え、一端側が前記腹側外装部材の一部に重ねて接合され、他端側が前記背側外装部材の一部に重ねて接合された吸収性本体と、
を有し、
前記腹側外装部材及び前記背側外装部材は、前記縦方向において前記吸収性本体と重複し、かつ、前記横方向において前記吸収性本体と重複しない下方領域と、前記縦方向において前記吸収性本体と重複せず、かつ、前記横方向において前記吸収性本体と重複しない上方領域とをそれぞれ有し、
前記腹側外装部材及び前記背側外装部材のうちの、少なくとも一方の外装部材には、
前記横方向に所定の長さを有しつつ前記一方の外装部材を貫通する線状の切れ目が、前記縦方向及び前記横方向に所定の間隔で複数設けられており、
前記上方領域における前記線状の切れ目の合計の長さを、前記上方領域の前記縦方向の長さで除した値は、前記下方領域における前記線状の切れ目の合計の長さを、前記下方領域の前記縦方向の長さで除した値よりも小さく、
前記上方領域における前記線状の切れ目の合計の長さはゼロである、ことを特徴とする吸収性物品。
【請求項７】
互いに直交する縦方向と横方向とを有する吸収性物品であって、
前方から着用者の腹側を覆う腹側外装部材と、後方から前記着用者の背側を覆う背側外装部材と、
排泄物を吸収する吸収体を備え、一端側が前記腹側外装部材の一部に重ねて接合され、他端側が前記背側外装部材の一部に重ねて接合された吸収性本体と、
を有し、
前記腹側外装部材及び前記背側外装部材は、前記縦方向において前記吸収性本体と重複し、かつ、前記横方向において前記吸収性本体と重複しない下方領域と、前記縦方向において前記吸収性本体と重複せず、かつ、前記横方向において前記吸収性本体と重複しない上方領域とをそれぞれ有し、
前記腹側外装部材及び前記背側外装部材のうちの、少なくとも一方の外装部材には、
前記横方向に所定の長さを有しつつ前記一方の外装部材を貫通する線状の切れ目が、前記縦方向及び前記横方向に所定の間隔で複数設けられており、
前記上方領域における前記線状の切れ目の合計の長さを、前記上方領域の前記縦方向の長さで除した値は、前記下方領域における前記線状の切れ目の合計の長さを、前記下方領域の前記縦方向の長さで除した値よりも小さく、
前記縦方向において前記吸収性本体と重複せず、かつ、前記横方向において前記吸収性本体と重複する上方中央領域における前記線状の切れ目の合計の長さはゼロである、ことを特徴とする吸収性物品。
【請求項８】
請求項１〜７のいずれかに記載の吸収性物品であって、
前記腹側外装部材及び前記背側外装部材には、肌側シートと非肌側シートとが積層されて設けられており、
前記非肌側シートのうち、前記肌側シートの前記縦方向の上側端部からはみ出した部分が前記縦方向の下側に折り返され、前記吸収性本体に接合されている、ことを特徴とする吸収性物品。
【請求項９】
請求項１〜８のいずれかに記載の吸収性物品であって、
前記腹側外装部材及び前記背側外装部材の前記縦方向の上側端部の肌側には、前記腹側外装部材及び背側外装部材とは異なるシート部材が接合されている、ことを特徴とする吸収性物品。
【請求項１０】
請求項１〜９のいずれかに記載の吸収性物品であって、
前記線状の切れ目の前記横方向の長さは２ｍｍ以上、１０ｍｍ以下である、ことを特徴とする吸収性物品。
【発明の詳細な説明】
【技術分野】
【０００１】  本発明は、吸収性物品に関する。
【背景技術】
【０００２】  排泄物を吸収する吸収性物品として、使い捨ておむつ等が知られている。一般に、使い捨ておむつでは着用者の胴回りを覆う胴回り外装部材に伸縮性を有する部材が設けられ、着用時においては、該胴回り外装部材の伸縮性により着用者の胴回りにおけるフィット性を高めると共に、使い捨ておむつの位置がずれないようにしている。一方、そのような伸縮性を有する胴回り外装部材によって締め付けられることによって、着用者の肌がかぶれやすくなる場合がある。これに対して、胴回り外装部材の表面にスリット（切れ目）を設け、当該スリットにより通気性を確保することによって、おむつ着用時における肌のかぶれ等を抑制する技術が提案されている（例えば、特許文献１）
【先行技術文献】
【特許文献】
【０００３】
【特許文献１】特開２０１４‐２２１１２２号公報
【発明の概要】
【発明が解決しようとする課題】
【０００４】  しかし、胴回り外装部材にスリットを設けることにより、該スリットを起点として胴回り外装部材が破れやすくなる等、強度上の問題が生じる場合がある。特に、胴回り外装部材は、おむつの着脱を行う際に指でつまんで上下に引っ張る等の動作によって強い力が作用する部位であるため、スリットが設けられることにより十分な強度を確保できなくなるおそれがある。【０００５】  本発明は、上記のような問題に鑑みてなされたものであって、その目的とするところは、良好な通気性を有しつつ、十分な強度を確保可能な使い捨ておむつを提供することにある。
【課題を解決するための手段】
【０００６】
上記目的を達成するための主たる発明は、互いに直交する縦方向と横方向とを有する吸収性物品であって、前方から着用者の腹側を覆う腹側外装部材と、後方から前記着用者の背側を覆う背側外装部材と、排泄物を吸収する吸収体を備え、一端側が前記腹側外装部材の一部に重ねて接合され、他端側が前記背側外装部材の一部に重ねて接合された吸収性本体と、を有し、前記腹側外装部材及び前記背側外装部材は、前記縦方向において前記吸収性本体と重複し、かつ、前記横方向において前記吸収性本体と重複しない下方領域と、前記縦方向において前記吸収性本体と重複せず、かつ、前記横方向において前記吸収性本体と重複しない上方領域とをそれぞれ有し、前記腹側外装部材及び前記背側外装部材のうちの、少なくとも一方の外装部材には、前記横方向に所定の長さを有しつつ前記一方の外装部材を貫通する線状の切れ目が、前記縦方向及び前記横方向に所定の間隔で複数設けられており、前記上方領域における前記線状の切れ目の合計の長さを、前記上方領域の前記縦方向の長さで除した値は、前記下方領域における前記線状の切れ目の合計の長さを、前記下方領域の前記縦方向の長さで除した値よりも小さく、前記下方領域は、前記縦方向において前記吸収体と重複する重複領域と、前記縦方向において前記吸収体と重複しない非重複領域とを有し、前記非重複領域における前記線状の切れ目の合計の長さを、前記非重複領域の前記縦方向の長さで除した値は、前記重複領域における前記線状の切れ目の合計の長さを、前記重複領域の前記縦方向の長さで除した値よりも小さい、ことを特徴とする吸収性物品である。
【０００７】  本発明の他の特徴については、本明細書及び添付図面の記載により明らかにする。
【発明の効果】
【０００８】  本発明によれば、良好な通気性を有しつつ、十分な強度を確保可能な使い捨ておむつを提供することができる。
【図面の簡単な説明】
【０００９】
【図１】本実施形態の吸収性物品の一例としての使い捨ておむつ１（おむつ１）の概略斜視図である。
【図２】展開状態のおむつ１を肌側から見た概略平面図である。
【図３】図２のＡ−Ａ断面について表す図である。
【図４】図４Ａ及び図４Ｂは、腹側外装部材３０，背側外装部材４０の変形例について説明する図である。
【図５】図２の領域Ｂについて拡大して表した図である。
【図６】図６Ａは、おむつ１の着用時におけるスリット５０の変形の様子について説明する図である。図６Ｂは、比較例においてスリット５０の変形の様子について説明する図である。
【図７】おむつ１で上方領域３０ｅо,４０ｅоにスリット５０が設けられていない場合について表した展開状態の概略平面図である。
【発明を実施するための形態】
【００１０】  本明細書及び添付図面の記載により、少なくとも以下の事項が明らかとなる。
【００１１】  互いに直交する縦方向と横方向とを有する吸収性物品であって、前方から着用者の腹側を覆う腹側外装部材と、後方から前記着用者の背側を覆う背側外装部材と、排泄物を吸収する吸収体を備え、一端側が前記腹側外装部材の一部に重ねて接合され、他端側が前記背側外装部材の一部に重ねて接合された吸収性本体と、を有し、前記腹側外装部材及び前記背側外装部材は、前記縦方向において前記吸収性本体と重複し、かつ、前記横方向において前記吸収性本体と重複しない下方領域と、前記縦方向において前記吸収性本体と重複せず、かつ、前記横方向において前記吸収性本体と重複しない上方領域とをそれぞれ有し、前記腹側外装部材及び前記背側外装部材のうちの、少なくとも一方の外装部材には、前記横方向に所定の長さを有しつつ前記一方の外装部材を貫通する線状の切れ目が、前記縦方向及び前記横方向に所定の間隔で複数設けられており、前記上方領域における前記線状の切れ目の合計の長さを、前記上方領域の前記縦方向の長さで除した値は、前記下方領域における前記線状の切れ目の合計の長さを、前記下方領域の前記縦方向の長さで除した値よりも小さい、ことを特徴とする吸収性物品。
【００１２】  このような吸収性物品によれば、上方領域に設けられる開口部（切れ目）の割合が、下方領域３０に設けられる開口部の割合よりも小さくなる。これにより、上方領域では、外装部材の強度が確保されやすくなり、当該外装部材を構成する不織布等が破れることを抑制することができる。また、下方領域では、外装部材の通気性が確保されやすくなり、吸収性物品着用時において蒸れや不快感を生じにくくすることができる。つまり、良好な通気性を有しつつ、十分な強度を確保可能な吸収性物品を提供することができる。
【００１３】  かかる吸収性物品であって、前記下方領域は、前記縦方向において前記吸収体と重複する重複領域と、前記縦方向において前記吸収体と重複しない非重複領域とを有し、前記非重複領域における前記線状の切れ目の合計の長さを、前記非重複領域の前記縦方向の長さで除した値は、前記重複領域における前記線状の切れ目の合計の長さを、前記重複領域の前記縦方向の長さで除した値よりも小さい、ことが望ましい。
【００１４】  このような吸収性物品によれば、上方への引っ張り力に対して吸収体による抗力が作用しにくい非重複領域に設けられる開口部（切れ目）の割合が、重複領域に設けられる開口部（切れ目）の割合よりも小さくなる。これにより、非重複領域では、外装部材の強度が確保されやすくなり、当該外装部材を構成する不織布等が破れることをより抑制しやすくなる。また、重複領域では、外装部材の通気性が確保されやすくなり、吸収性物品着用時において蒸れや不快感をより生じにくくすることができる。
【００１５】  かかる吸収性物品であって、前記上方領域及び前記下方領域の少なくとも一方において、前記横方向の或る一列に配置されている複数の前記線状の切れ目の合計の長さは、前記線状の切れ目が配置されている領域の前記横方向の長さの１／２よりも小さい、ことが望ましい。
【００１６】  このような吸収性物品によれば、或る列において横長の切れ目が極端に多く形成されることが抑制され、外装部材で当該列の部分の強度が確保されやすくなる。すなわち、同一直線上に長手方向を揃えて設けられる切れ目の割合を制限することにより、おむつ等の吸収性物品の着脱時において該吸収性物品が破れてしまうことをより抑制しやすくなる。
【００１７】  かかる吸収性物品であって、前記横方向に隣り合う２つの前記線状の切れ目の間隔は、前記線状の切れ目の横方向の長さよりも長い、ことが望ましい。
【００１８】  このような吸収性物品によれば、吸収性物品を着脱する際に外装部材が引っ張られた場合であっても、横方向に隣り合う切れ目の間隔を広く設けておくことにより、切れ目同士が互いに繋がってしまう等の問題が生じにくくなる。これにより、外装部材が横方向に裂けてしまうことを抑制できる。
【００１９】  かかる吸収性物品であって、前記腹側外装部材及び前記背側外装部材には、前記横方向に伸縮性を付与する弾性部材が、前記縦方向に所定の間隔で複数設けられており、前記縦方向に隣り合う２つの前記弾性部材の間に前記線状の切れ目が配置されている、ことが望ましい。
【００２０】  このような吸収性物品によれば、縦方向に隣り合う２つの弾性部材による横方向に沿った収縮力が、該弾性部材の間に配置されている切れ目に対して作用しやすくなる。これにより、当該切れ目には、吸収性物品を着用する際に発生する上下方向への引っ張り力と、弾性部材による横方向の伸縮力とが作用するようになり、横長の線状の切れ目がひし形状に変形しやすくなる。当該切れ目がひし形状に変形することにより、着用者の肌と外気との間で熱や水分がひし形の切れ目を通過して移動しやすくなり、通気性をより良好にすることができる。
【００２１】  かかる吸収性物品であって、前記弾性部材が伸縮する方向と、前記線状の切れ目の長手方向とが平行である、ことが望ましい。
【００２２】  このような吸収性物品によれば、弾性部材による伸縮力が、切れ目の長手方向（すなわち横方向）に作用しやすくなる。また、吸収性物品の着脱時には、外装部材に対して縦方向の引っ張り力が作用するため、切れ目に対して縦方向及び横方向の力がバランス良く作用するようになり、切れ目を良好なひし形状に変形しやすくなり、良好な通気性を実現しやすくなる。
【００２３】  かかる吸収性物品であって、前記上方領域における前記線状の切れ目の合計の長さはゼロである、ことが望ましい。
【００２４】  このような吸収性物品によれば、上方領域において腹側外装部材及び背側外装部材の強度が低下しないため、吸収性物品を着脱する際に、該吸収性物品が破れることを抑制しやすくなる。
【００２５】  かかる吸収性物品であって、前記縦方向において前記吸収性本体と重複せず、かつ、前記横方向において前記吸収性本体と重複する上方中央領域における前記線状の切れ目の合計の長さはゼロである、ことが望ましい。
【００２６】  このような吸収性物品によれば、吸収性物品を着用する動作において着用者の身体に吸収性本体をフィットさせるために頻繁に上方側へ引っ張られる部分である上方中央領域において十分な強度を確保することができる。これにより、吸収性物品の良好なフィット性と耐久性とを実現することができる。
【００２７】  かかる吸収性物品であって、前記腹側外装部材及び前記背側外装部材には、肌側シートと非肌側シートとが積層されて設けられており、前記非肌側シートのうち、前記肌側シートの前記縦方向の上側端部からはみ出した部分が前記縦方向の下側に折り返され、前記吸収性本体に接合されている、ことが望ましい。
【００２８】  このような吸収性物品によれば、外装部材の縦方向上側の端縁部において積層されるシート部材の数が、外装部材の縦方向下側の端縁部において積層されるシート部材の数よりも多くなり、外装部材の縦方向上側端縁部における強度を高くすることができる。当該端縁部は吸収性物品の着用時において大きな力が作用する部位であるため、このようにして強度を高くすることによって、外装部材が破れることを抑制しやすくなる。
【００２９】  かかる吸収性物品であって、前記腹側外装部材及び前記背側外装部材の前記縦方向の上側端部の肌側には、前記腹側外装部材及び背側外装部材とは異なるシート部材が接合されている、ことが望ましい。
【００３０】  このような吸収性物品によれば、外装部材の縦方向上側端縁部における強度を高くすることができる。さらに、シート部材の材料や大きさを変更することにより、吸収性物品の使用条件等に応じて外装部材の縦方向上側端縁部の補強強度を自由に調節することが可能であるため、より効率的に当該領域の強度を高くすることができる。
【００３１】  かかる吸収性物品であって、前記線状の切れ目の前記横方向の長さは２ｍｍ以上、１０ｍｍ以下である、ことが望ましい。
【００３２】  このような吸収性物品によれば、切れ目の横方向の長さを２ｍｍ以上とすることにより、吸収性物品の着用時に切れ目の開口面積が大きくなり、通気口としての機能を十分に発揮することができる。また、切れ目の横方向の長さを１０ｍｍ以下とすることにより、切れ目部分に裂け目が生じることを抑制すると共に、着用者の指が切れ目に引っかかってしまうことを抑制できる。
【００３３】  ＝＝＝実施形態＝＝＝  ＜使い捨ておむつの構成＞  図１は、本実施形態の吸収性物品の一例としての使い捨ておむつ１（おむつ１）の概略斜視図である。図２は、展開状態のおむつ１を肌側から見た概略平面図である。図３は、図２のＡ−Ａ断面について表す図である。
【００３４】  本実施形態のおむつ１は、所謂３ピースタイプであり、３つの部品１０，３０，４０を有している。すなわち、このおむつ１は、第１部品として、着用者の股間部にあてがわれ尿等の排泄物を吸収する吸収性本体１０を有し、第２部品として、同着用者の腹側部を覆う腹側外装部材３０を有し、第３部品として、同着用者の背側部を覆う背側外装部材４０を有している。また、図２及び図３に示されるように、展開状態のおむつ１は、互いに直交する三方向として縦方向と横方向と厚さ方向とを有している。なお、縦方向の「前側」はおむつ着用時において着用者の腹側を覆う部分であり、「後側」は着用者の背側を覆う部分である。また、厚さ方向で着用者の肌と接触する側のことを「肌側」と言い、その逆側のことを「非肌側」と言う。
【００３５】  図２の展開状態では、腹側外装部材３０（図で縦方向上側）と背側外装部材４０（図で縦方向下側）とが互いに縦方向に間隔をあけて平行に並んだ状態で、これらの間に吸収性本体１０が掛け渡されつつ、同吸収性本体１０の長手方向の各端部１０ｅａ，１０ｅｂがそれぞれ最寄りの外装部材３０，４０に接合固定されており、その外観形状は平面視略Ｈ形状をなしている。そして、この状態から、吸収性本体１０がその長手方向の略中央部Ｃ１０を折り位置として二つ折りされる。この二つ折りの状態において互いに対向する腹側外装部材３０と背側外装部材４０とが、着用者の脇腹に当接すべき部分である腹側外装部材側縁部３０ｓｅと、背側外装部材側縁部４０ｓｅと（つまり、横方向の各端部）にて接合・連結されると、これら外装部材３０，４０同士が環状に成形される。これにより、図１に示すような胴回り開口１ＨＢ及び一対の脚回り開口１ＨＬが形成された着用状態のおむつ１となる。
【００３６】  図２及び図３に示されるように、吸収性本体１０は、吸収性コア１１と、吸収性コア１１を同コア１１の肌側から覆う表面シート部材１３と、吸収性コア１１を同コア１１の非肌側から覆って吸収性本体１０の外装をなす裏面シート部材１５と、を備えている。
【００３７】  吸収性コア１１は、液体吸収性素材を積層してなる部材であり、尿等の排泄物を吸収する吸収体である。液体吸収性素材としては、例えば、パルプ繊維等の液体吸収性繊維を使用することができる。なお、吸収性コア１１は、液体吸収性粒状物として例えば高吸収性ポリマーを含有していても良いし、または、液体吸収性繊維及び液体吸収性粒状物以外の液体吸収性素材を含んでいても良い。また、吸収性コア１１は、ティッシュペーパー等の液透過性シート（不図示）で被覆されていても良い。本実施形態の吸収性コア１１は、図２における縦方向の前側端部と後側端部との間に、前側端部及び後側端部よりも横方向の幅が狭いくびれ部１１ｃを有する。これにより、吸収性コア１１は図２に示されるような平面視略砂時計形状となるように構成されている。
【００３８】  表面シート部材１３は、吸収性コア１１を肌側から覆うシート状の部材であり、例えば吸収性コア１１よりも大きい平面サイズの液透過性の不織布である。裏面シート部材１５は、吸収性コア１１を非肌側から覆うシート状の部材であり、吸収性コア１１より大きい平面サイズのシートであり、その一例としては、ポリエチレン又はポリプロピレン等の液不透過性の防漏シート１５ａと、不織布等の外装シート１５ｂとが貼り合わされた二層構造のシートが挙げられる。そして、これら裏面シート部材１５と表面シート部材１３との間に吸収性コア１１を挟んだ状態において、吸収性コア１１の四辺から外側にはみ出す部分にて、裏面シート部材１５と表面シート部材１３とが額縁状に貼り合わされ、これにより、吸収性本体１０が形成されている。なお、裏面シート部材１５が外装シート１５ｂを有さず、防漏シート１５ａのみによって構成されていても良い。
【００３９】  また、おむつ１において、外装シート１５ｂ等によって所謂立体ギャザーや脚回りギャザーが形成されていても良い（共に不図示）。立体ギャザーは、例えば、表面シート部材１３の横方向の各端部にそれぞれ起立して設けられる防漏壁部であり、脚回りギャザーは、おむつ１の各脚回り開口１ＨＬ，１ＨＬに形成される脚回り伸縮部のことである。また、表面シート部材１３と吸収性コア１１との間、又は、裏面シート部材１５と吸収性コア１１との間に、セカンドシートとしてティッシュペーパー等の液透過性シートが介装されていても良い。
【００４０】  腹側外装部材３０及び背側外装部材４０は、いずれも、例えば不織布等の柔軟なシートを素材とした平面視略矩形形状のシート部材である。図３に示されるように、腹側外装部材３０は、厚さ方向の肌側から肌側シート３１及び非肌側シート３２を二枚重ねに接合することにより形成されている。同様に、背側外装部材４０は、厚さ方向の肌側から肌側シート４１、及び非肌側シート４２を二枚重ねに接合することにより形成されている。そして、腹側外装部材３０及び背側外装部材４０は、それぞれ吸収性本体１０における縦方向の各端部１０ｅａ，１０ｅｂを吸収性本体１０の非肌側から覆いながら、当該各端部１０ｅａ，１０ｅｂに重ね合わせられて接合されている。
【００４１】  腹側外装部材３０において、非肌側シート３２の縦方向の長さは肌側シート３１よりも長く、厚さ方向に重ねた状態で、非肌側シート３２の縦方向上側端部が肌側シート３１の縦方向上側端部からはみ出すように構成されている。そして、非肌側シート３２のはみ出し部分は、図３に示されるように縦方向の下側に折り返され、折り返された部分３２ｆが、肌側シート３１に重ね合わせられて接合されている。これにより、腹側外装部材３０の縦方向上側の端縁部において積層されるシート部材の数が、腹側外装部材３０の縦方向下側の端縁部において積層されるシート部材の数よりも多くなり、縦方向上側端縁部における腹側外装部材３０の強度を高くすることができる。当該端縁部はおむつ１の着用時において指でつままれる等により大きな力が作用する部位であるため、このようにして強度を高くすることによって、腹側外装部材３０が破れたりすることを抑制しやすくなる。背側外装部材４０の非肌側シート４２及び肌側シート４１についても同様である（図３参照）。
【００４２】  図４Ａ及び図４Ｂは、腹側外装部材３０，背側外装部材４０の変形例について説明する図である。同図４Ａ及び図４Ｂは、パンツ型形状のおむつ１について縦方向の断面を表したものである。図４Ａでは、非肌側シート３２のうち、肌側シート３１の縦方向上側端部からはみ出して折り返された部分３２ｆが、吸収性本体１０を肌側から覆うようにして接合されている。このようにしても、腹側外装部材３０の縦方向上側端縁部の強度を高くすることができる。さらに、吸収性本体１０の縦方向上側端縁部が着用者の肌と直接接触することが抑制され、着用時における胴回りの肌触りを良好なものにすることができる。
【００４３】  一方、図４Ｂでは、非肌側シート３２（４２）と肌側シート３１（４１）とが互いに同じ大きさとなっている。この場合、非肌側シート３２（４２）が肌側シート３１（４１）からはみ出さないため、非肌側シート３２（４２）の折り返し部が形成されず、腹側外装部材３０及び背側外装部材４０の縦方向上側端縁部における強度が不十分となるおそれがある。そこで、図４Ｂの例では腹側外装部材３０及び背側外装部材４０の縦方向上側端縁部の肌側に補強シート部材７０を設け、当該部位の強度を高めている。補強シート部材７０は、腹側外装部材３０及び背側外装部材４０とは異なる矩形状の部材であり、不織布等によって形成することができる。このような補強シート部材７０であれば、材料や大きさを変更することが可能なため、腹側外装部材３０及び背側外装部材４０の縦方向外側端縁部における強度をおむつ１の使用条件等に応じて自由に調節することができるため、より効率的に補強を行うことができる。なお、非肌側シート３２の折り返し部分３２ｆが形成され、かつ、補強シート部材７０が配置される構成であっても良い。
【００４４】  腹側外装部材３０への吸収性本体１０の重ね合わせは、腹側外装部材３０の縦方向の外側端部３０ｅには吸収性本体１０を重ねずに、同端部３０ｅよりも縦方向の中央側の部分３０ｃに吸収性本体１０を重ねるようにして行われる（図２参照）。同様に、背側外装部材４０への吸収性本体１０の重ね合わせは、背側外装部材４０の縦方向の端部４０ｅには吸収性本体１０を重ねずに、同端部４０ｅよりも縦方向の中央側の部分４０ｃに吸収性本体１０を重ねるようにして行われる。なお、この重複しない部分３０ｅ，４０ｅは、おむつ１の胴回り開口１ＨＢ（図１）を構成する部分となる。そして、該部分３０ｅ，４０ｅには、後述する弾性部材３５，４５が、それぞれ同部分３０ｅ，４０ｅにおける横方向の略全長に亘って連続して設けられている。
【００４５】  本実施形態のおむつ１では、腹側外装部材３０の端部３０ｅの縦方向の長さＬ３０ｅは、背側外装部材４０の端部４０ｅの縦方向の長さＬ４０ｅよりも小さくなるように、吸収性本体１０が配置されている（Ｌ３０ｅ＜Ｌ４０ｅ）。すなわち、吸収性本体１０は、全体として背側外装部材４０よりも腹側外装部材３０の方に偏って配置されている。このようにすれば、おむつ１の着用時に腹側（前側）において効率的に尿を吸収することができる。また、吸収性本体１０が腹側外装部材３０寄りに設けられるため、着用者の背側において臀部上部領域が吸収性本体１０によって覆われる面積は小さくなる。当該領域は、汗が溜まりやすく蒸れやすい領域であるため、吸収性本体１０によって覆われる面積を小さくすることで、熱を拡散させて蒸れの発生を抑制しやすくなる。但し、Ｌ３０ｅとＬ４０ｅとの大小関係は上述の限りではなく、Ｌ３０ｅ≧Ｌ４０ｅの関係であっても良い。
【００４６】  また、以下では腹側外装部材３０において、縦方向において吸収性本体１０と重複しない領域である端部３０ｅのうち、横方向において吸収性本体１０と重複しない領域を上方領域３０ｅоと呼ぶ。図２において、上方領域３０ｅоは、腹側外装部材３０の横方向の両脇上部に斜線で表示された領域である。また、腹側外装部材３０において、横方向両側の上方領域３０ｅоの間の領域、すなわち、縦方向において吸収性本体１０と重複せず、横方向において吸収性本体１０と重複する領域を上方中央領域３０ｅｃと呼ぶ。なお、ここで言う「上方」とは、図１や図４Ａ，４Ｂのようにおむつ１をパンツ型にした状態における縦方向の上側のことであり、図２においては縦方向の前側に相当する。
【００４７】  同様に、背側外装部材４０において、縦方向において吸収性本体１０と重複しない領域である端部４０ｅのうち、横方向において吸収性本体１０と重複しない領域を上方領域４０ｅоと呼ぶ。また、背側外装部材４０において、縦方向において吸収性本体１０と重複せず、横方向において吸収性本体１０と重複する領域を上方中央領域４０ｅｃと呼ぶ。
【００４８】  一方、腹側外装部材３０において、縦方向において吸収性本体１０と重複する領域である端部３０ｃのうち、横方向において吸収性本体１０と重複しない領域を下方領域３０ｃоと呼ぶ。図２において、下方領域３０ｃоは、腹側外装部材３０の横方向の両脇下部に網掛けで表示された領域である。さらに、下方領域３０ｃоのうち、縦方向において吸収性本体１０と重複する領域を重複領域３０ｃо１、縦方向において吸収性本体１０と重複しない領域を非重複領域３０ｃо２と呼ぶ。なお、ここで言う「下方」とは、図１や図４Ａ，４Ｂのようにおむつ１をパンツ型にした状態における縦方向の下側のことであり、図２においては縦方向の後側に相当する。
【００４９】  同様に、背側外装部材４０において、縦方向において吸収性本体１０と重複する領域である端部４０ｃのうち、横方向において吸収性本体１０と重複しない領域を下方領域４０ｃоと呼ぶ。そして、下方領域４０ｃоのうち、縦方向において吸収性本体１０と重複する領域を重複領域４０ｃо１、縦方向において吸収性本体１０と重複しない領域を非重複領域４０ｃо２と呼ぶ。
【００５０】  これらの上方領域３０ｅо，４０ｅо、及び下方領域３０ｃо，４０ｃоには、横方向に所定の長さを有しつつ各外装部材３０，４０を貫通する線状の切れ目であるスリット５０が、縦方向及び横方向に所定の間隔で複数設けられている。スリット５０の詳細については後で説明する。
【００５１】  腹側外装部材３０に係る２枚のシート３１，３２同士の間には、横方向に沿って糸ゴム等の複数の弾性部材３５，３５…が介挿されつつ、横方向に伸長された状態で同シート３１，３２に接合固定されている。また、かかる複数本の弾性部材３５，３５…は、縦方向に間隔をあけながら縦方向に並んで設けられている。同様に、背側外装部材４０に係る２枚のシート４１，４２同士の間には、横方向に沿って糸ゴム等の複数の弾性部材４５，４５…が介挿されつつ、横方向に伸長された状態で同シート４１，４２に接合固定されている。また、かかる複数本の弾性部材４５，４５…は、縦方向に間隔をあけながら縦方向に並んで設けられている。これにより、腹側外装部材３０及び背側外装部材４０に対して横方向の伸縮性が付与され、当該伸縮性がおむつ１の胴回り開口１ＨＢの伸縮性となる。弾性部材３５及び４５は、太さや本数、縦方向の配置位置等の詳細仕様を除けば、その基本構成は、概ね互いに同じである。
【００５２】  なお、弾性部材３５，４５は横方向の中央部付近で吸収性コア１１と重複する領域において一部が非連続となっており、当該領域に伸縮性が作用しないようになっている。これにより、吸収性コア１１の横方向（幅方向）の収縮が抑制されるため、吸収性コア１１における皺の発生等が抑制され、吸収性コア１１の肌側面が略平坦に維持されやすくなる。その結果、吸収性コア１１の吸液阻害を有効に防ぐことができて、また皺の発生に起因する排泄物の漏れ等も抑制することができる。
【００５３】  ＜外装部材３０，４０に設けられる切れ目（スリット５０）について＞  図５は、図２の領域Ｂについて拡大して表した図である。同図５では、腹側外装部材３０の上方領域３０ｅо及び下方領域３０ｃоに形成されている複数のスリット５０の配置の一例について表している。なお、図２に示されるように、背側外装部材４０にも複数のスリット５０が設けられているが、その基本構成や機能は腹側外装部材３０と略同様であるため、ここでは主に腹側外装部材３０について説明を行い、背側外装部材４０については説明を省略する。但し、腹側外装部材３０と背側外装部材４０とでスリット５０の配置や数が異なっていても良い。また、腹側外装部材３０と背側外装部材４０とのどちらか一方にのみスリット５０が設けられ、他方にはスリットが設けられていなくても良い。
【００５４】  スリット５０は、腹側外装部材３０を厚さ方向に貫通する切れ目であり、おむつ１の横方向に沿って、所定の間隔をあけて複数が列状に形成されている。なお、スリット５０は縦方向に所定の幅を持つように切り欠かれた部分であっても良いが、腹側外装部材３０の強度を考慮すれば線状の切れ目であることが好ましい。以下では、スリット５０は横方向に所定の長さを有する「線状」の切れ目であるものとして説明を行う。
【００５５】  おむつ１において腹側外装部材３０に形成されているスリット５０は、縦方向の外側の領域（図５において腹側外装部材３０の上方側の領域）と、縦方向の中央側の領域（図５において腹側外装部材３０の下方側の領域）とで配置や形状が異なっている。図５に示される例では、下方領域３０ｃоには第１スリット５１及び第２スリット５２が形成されており、上方領域３０ｅоには第２スリット５２が形成されている。第１スリット５１は、例えば、横方向の長さ（以下、「スリット長」とも呼ぶ）が３ｍｍ、横方向に隣り合う第１スリット５１同士の間隔（以下、「スリットピッチ」とも呼ぶ）が８ｍｍで、横方向の一列に４つずつ形成されている。一方、第２スリット５２は、例えば、横方向の長さ（スリット長）が２ｍｍ、横方向に隣り合う第２スリット５２同士の間隔（スリットピッチ）が８ｍｍで、横方向の一列に５つずつ形成されている。なお、各スリット５０のスリット長や間隔はこの限りではなく、また、隣り合うスリット同士でスリット長や間隔が異なっていても良い。このように複数のスリット５０を設けることにより、おむつ１着用時における腹側外装部材３０の通気性が確保され、着用者に不快感を与えにくくなる。
【００５６】  おむつ１において、十分な通気性を確保するために、スリット５０のスリット長は２ｍｍ以上であることが望ましい。スリット長が２ｍｍよりも短い場合、おむつ１の着用時にスリット５０の開口面積が小さくなり、通気口としての機能を十分に発揮することができなくなるおそれがある。また、腹側外装部材３０の強度確保の観点から、スリット５０のスリット長は１０ｍｍ以下とすることが望ましい。スリット長が１０ｍｍよりも長い場合、おむつ１を着脱する際に腹側外装部材３０が引っ張られる力によってスリット５０の長手方向端部等に裂け目が生じやすくなり、腹側外装部材３０の強度を十分に確保できなくなるおそれがある。また、スリット長が長いと、着用者の指が該スリット５０に引っかかりやすくなり、当該指の力によってスリット５０が裂けてしまうおそれがある。
【００５７】  また、図５の例に示されるように、スリット５０のスリットピッチは、該スリット５０のスリット長よりも長いことが望ましい。スリットピッチがスリット長以下である場合、おむつ１の着脱時に腹側外装部材３０を引っ張る力によって隣り合うスリット５０同士が互いに繋がりやすくなり、腹側外装部材３０が横方向に裂けてしまうおそれがある。これに対してスリットピッチをスリット長よりも長く設けることにより、隣り合うスリット５０同士が繋がることを抑制しやすくなる。
【００５８】  本実施形態のおむつ１では、腹側外装部材３０の領域毎にスリット５０の形状や配置を調整することで、腹側外装部材３０の良好な通気性を確保しつつ、腹側外装部材３０の十分な強度も維持することができる。図５において、腹側外装部材３０の下方領域３０ｃоには、第１スリット５１が横方向に４つ、縦方向に６列分形成され、第２スリット５２が横方向に５つ、縦方向に３列分形成されている。一方、上方領域３０ｅоには、第２スリット５２が横方向に５つ、縦方向に４列分形成されている。
【００５９】  そして、上方領域３０ｅоにおけるスリット５０（切れ目）の合計の長さを上方領域３０ｅоの縦方向の長さＬ３０ｅで除した値は、下方領域３０ｃоにおけるスリット５０（切れ目）の合計の長さを下方領域３０ｃоの縦方向の長さＬ３０ｃで除した値よりも小さくなっている。例えば、図５の例の場合、上方領域３０ｅоにおけるスリット長の合計値は、２ｍｍ×５×４列＝４０ｍｍである。一方、下方領域３０ｃоにおけるスリット長の合計値は、２ｍｍ×５×３列＋３ｍｍ×４×６列＝１０２ｍｍである。したがって、（４０ｍｍ／Ｌ３０ｅ）＜（１０２ｍｍ／Ｌ３０ｃ）の関係が成立する。
【００６０】  この関係は、上方領域３０ｅоに設けられた開口部（すなわちスリット５０が形成されている部分）の割合が、下方領域３０ｃоに設けられた開口部の割合よりも小さいことを表している。つまり、腹側外装部材３０では、上方領域３０ｅоよりも下方領域３０ｃоにより多くの割合で切れ目（スリット５０）が形成されていることになる。上方領域３０ｅоは、おむつ１を着用する際に、指で挟んで上方に引っ張られることにより大きな力が作用する領域であるため、当該領域中に形成されるスリット５０の割合を少なくして強度を確保することにより、当該領域において不織布が破れることを抑制している。逆に、下方領域３０ｃоは、指等で直接引っ張られる可能性が低いため、当該領域中に形成されるスリット５０の割合を多くして、通気性をより高くしている。すなわち、おむつ１では、上方領域３０ｅоでは切れ目を少なくして強度の確保を優先し、下方領域３０ｃоでは切れ目を多くして良好な通気性を優先している。
【００６１】  さらに、本実施形態では、下方領域３０ｃоのうち縦方向下方の重複領域３０ｃо１と、縦方向上方の非重複領域３０ｃо２でもスリット５０の割合を調整している。すなわち、非重複領域３０ｃо２におけるスリット５０（切れ目）の合計の長さを非重複領域３０ｃо２の縦方向の長さＬ３０ｃ２で除した値は、重複領域３０ｃо１におけるスリット５０（切れ目）の合計の長さを重複領域３０ｃо１の縦方向の長さＬ３０ｃ１で除した値よりも小さくなっている。例えば、図５の例の場合、非重複領域３０ｃо２におけるスリット長の合計値は、２ｍｍ×５×２列＝２０ｍｍである。一方、重複領域３０ｃо１におけるスリット長の合計値は、２ｍｍ×５×１列＋３ｍｍ×４×６列＝８２ｍｍである。したがって、（２０ｍｍ／Ｌ３０ｃ２）＜（８２ｍｍ／Ｌ３０ｃ１）の関係が成立する。
【００６２】  この場合、非重複領域３０ｃо２では重複領域３０ｃо１よりも切れ目（スリット５０）が形成されている割合が低くなる。下方領域３０ｃоのうち非重複領域３０ｃо２は、重複領域３０ｃо１よりも上方領域３０ｅоに近いため、おむつ１を着用する際に上方領域３０ｅоが上方へ引っ張られることにより、非重複領域３０ｃо２も上方側へ引っ張られやすい。また、重複領域３０ｃо１は縦方向において吸収性コア１１と重複しているのに対して、非重複領域３０ｃо２は縦方向において吸収性コア１１と重複していない。そのため、重複領域３０ｃо１では上方への引っ張り力に対して吸収性コア１１による抗力が作用するのに対して、非重複領域３０ｃо２では引っ張り力に対して吸収性コア１１による効力が作用しにくい。したがって、非重複領域３０ｃо２では、領域中に形成されるスリット５０の割合を低くして強度の確保を優先している。一方、重複領域３０ｃо１では、領域中に形成されるスリット５０の割合を高くして、通気性をより高くしている。
【００６３】  なお、腹側外装部材３０の強度を確保するためには、横方向の列毎に設けられているスリット５０の割合についても考慮する必要がある。すなわち、或る領域（例えば、下方領域３０ｃо等の所定の面積を有する領域）中に設けられているスリット５０の割合だけでなく、或る列において同一直線上に設けられている複数のスリット５０の割合についても考慮するべきである。或る列において横長のスリット５０が極端に多く形成されていると、その列では腹側外装部材３０の強度が弱くなり、該腹側外装部材３０が破れてしまうおそれがあるからである。
【００６４】  本実施形態では、腹側外装部材３０の上方領域３０ｅо若しくは下方領域３０ｃоの横方向の或る一列に設けられているスリット５０のスリット長の合計の長さが、該スリット５０が設けられている領域の横方向の長さの１／２よりも小さくなるようにしている。例えば、図５で上方領域３０ｅоの横方向の有効長さ（連結部となる側縁部３０ｓｅを除いた横方向長さ）は５９ｍｍであるのに対して、上方領域３０ｅо中の或る一列に設けられている第２スリット５２のスリット長の合計の長さは２ｍｍ×５＝１０ｍｍであり、５９ｍｍの半分の長さよりも小さい（１０ｍｍ＜５９ｍｍ／２）。同様に、下方領域３０ｃоの横方向の長さが５９ｍｍであるのに対して、下方領域３０ｃо中の或る一列に設けられている第１スリット５１のスリット長の合計の長さは３ｍｍ×４＝１２ｍｍであり、５９ｍｍの半分の長さよりも小さい（１２ｍｍ＜５９ｍｍ／２）。このように、同一線上に長手方向を揃えて並ぶスリット（切れ目）の長さの合計が、資材（ここでは腹側外装部材３０）の長さの半分よりも小さくなるようにすることで、該資材の強度が確保され、着脱時においておむつ１が破れてしまうことをより抑制しやすくなる。
【００６５】  図６Ａは、おむつ１の着用時におけるスリット５０の変形の様子について説明する図である。図６Ｂは、比較例におけるスリット５０の変形の様子について説明する図である。おむつ１の着用時には、腹側外装部材３０（背側外装部材４０）を上方に引っ張り上げる動作により、腹側外装部材３０に設けられたスリット５０に対して上下方向の力が作用する。そして、そのような力（引っ張り力）を受けることによって、スリット５０の形状が変化する。
【００６６】  図６Ａに示されるように、おむつ１を着用する際の上方への引っ張り力により、スリット５０には縦方向の上下に向かう力Ｆｖが作用する。また、おむつ１の着用時には、腹側外装部材３０（背側外装部材４０）に設けられている弾性部材３５（弾性部材４５）の横方向の収縮力により、スリット５０には横方向の左右に向かう力Ｆｈが作用する。その結果、スリット５０は力Ｆｖによって縦方向に広がりつつ、力Ｆｈによって横方向にも広げられ、図６Ａのような略ひし形の形状に変形する。このようにスリット５０が線状からひし形状に変形することにより、着用者の肌と外気との間で熱や水分がスリット５０を通過して移動しやすくなり、通気性をより良好にすることができる。
【００６７】  これに対して、図６Ｂでは、比較例として、腹側外装部材３０に弾性部材３５による横方向の収縮力が十分に作用しない場合について表している。比較例の場合、スリット５０には縦方向の上下に向かう力Ｆｖのみが作用するため、スリット５０は図６Ｂに示されるような縦長の形状に変形しやすくなる。図６Ｂのような縦長の形状では、図６Ａのひし形状と比較して良好な通気性を確保することが難しい。また、もともと横長の形状であったスリット５０が縦長に大きく変形することにより、当該スリット５０が形成されている領域に過度な応力が発生し、腹側外装部材３０が破れやすくなるおそれがある。
【００６８】  おむつ１では、図６Ａのように、弾性部材３５,４５による収縮力をスリット５０に対して効果的に作用させることにより、通気性をより良好にすることが可能となる。特に、本実施形態では、横方向に伸縮可能に設けられた弾性部材３５が縦方向に所定の間隔で複数設けられており、縦方向に隣り合う弾性部材３５同士の間に横長のスリット５０が配置されている。すなわち、スリット５０が縦方向において弾性部材３５に挟まれた構造となっている。これにより、縦方向に隣り合う２つの弾性部材３５による収縮力が、その間に配置されているスリット５０に対して作用しやすくなり、スリット５０のひし形状の変形が助長される。また、本実施形態ではスリット５０の長手方向と弾性部材３５,４５の伸縮方向とが平行になるように、各々が配置されている。このようにスリット５０及び弾性部材３５,４５が配置されていれば、おむつ１着用時に作用する引っ張り方向と弾性部材３５,４５の伸縮方向とが交差するようになる。これにより、スリット５０に対して縦方向及び横方向の力がバランス良く作用するようになり、該スリット５０を図６Ａに示されるような良好なひし形状に変形させることができる。
【００６９】  また、図２に示されるように、おむつ１では、腹側外装部材３０（背側外装部材４０）の上方中央領域３０ｅｃ,４０ｅｃには切れ目（スリット５０）が形成されていない。言い換えると、上方中央領域３０ｅｃ,４０ｅｃにおける切れ目（スリット５０）の合計の長さはゼロである。この上方中央領域３０ｅｃ,４０ｅｃは、おむつ１の着用時において腹部や背部の熱が溜まりやすい領域であるため、切れ目を配置して通気性を高めておくことが望ましい。しかし、当該領域は、着用者の身体（例えば股下部）に吸収性本体１０をフィットさせるために頻繁に上方側へ引っ張られる部分でもあるため、十分な強度を確保しておかなければおむつ１が破れてしまうおそれがある。そこで、本実施形態では、上方中央領域３０ｅｃ,４０ｅｃにはスリット５０を設けないこととして、強度の確保を優先している。これにより、おむつ１を着用する際に良好なフィット性と耐久性が実現される。
【００７０】  但し、上方中央領域３０ｅｃ,４０ｅｃに設けられるスリット５０を必ずしもゼロにする必要はなく、短いスリットを少数配置する構成としても良い。その際、上述したような補強シート部材７０を腹側外装部材３０及び背側外装部材４０の縦方向外側端縁部に設けることで強度を確保することも可能である。
【００７１】  ＝＝＝その他の実施の形態＝＝＝  以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００７２】  上述の実施形態では、腹側外装部材３０の上方領域３０ｅо及び背側外装部材４０の上方領域４０ｅоに、切れ目であるスリット５０が複数設けられていたが、当該領域にスリット５０が設けられていなくても良い。図７は、おむつ１で上方領域３０ｅо,４０ｅоにスリット５０が設けられていない場合について表した展開状態の概略平面図である。同図７において、上方領域３０ｅо,４０ｅоにはスリット５０が設けられておらず、下方領域３０ｃо,４０ｃоにのみスリット５０が設けられている（図７の例では、重複領域３０ｃо１，４０ｃо１に第１スリット５１が設けられている）。上方領域３０ｅо,４０ｅоにスリット５０を設けないことで、当該領域において腹側外装部材３０及び背側外装部材４０の強度の低下が抑制され、引っ張り等の力により対抗しやすくなる。なお、上方領域３０ｅо,４０ｅоにスリット５０が形成されていない場合、当該領域におけるスリット５０（切れ目）の合計の長さはゼロになる。したがって、上方領域３０ｅоにおけるスリット５０（切れ目）の合計の長さを上方領域３０ｅоの縦方向の長さＬ３０ｅで除した値が、下方領域３０ｃоにおけるスリット５０（切れ目）の合計の長さを下方領域３０ｃоの縦方向の長さＬ３０ｃで除した値よりも小さくなるという関係は、満たされている。
【００７３】  上述の実施形態では、外装シート１５ｂ及び腹側外装部材３０，背側外装部材４０の素材をそれぞれ不織布としていたが、何等不織布に限らない。例えば、織布でも構わないし、織布以外のシート部材でも構わない。ちなみに、外装シート１５ｂについては省略しても良く、その場合には、防漏シート１５ａが吸収性本体１０の外装をなすことになる。
【００７４】  上述の実施形態では、弾性部材３５,４５として糸ゴムを例示したが、何等これに限らない。例えば、弾性部材３５,４５として帯状のゴムを用いても良いし、伸縮性を有した帯状の不織布や、伸縮性を有した帯状の樹脂フィルムを用いても良い。
【００７５】  上述の実施形態では、吸収性物品の一例として３つの部品によって構成される所謂３ピースタイプのおむつ１について説明されていたが、この限りではない。例えば、腹側外装部材３０及び背側外装部材４０が一体的に構成された一体型の外装部材と、吸収性本体１０との２つの部品からなる使い捨ておむつ等にも適用可能である。この場合も、一体型外装部材の腹側及び背側のそれぞれについて、縦方向において吸収性本体１０重複し、横方向において重複しない下方領域３０ｃо,４０ｃоと、縦方向において吸収性本体１０重複せず、横方向においても重複しない上方領域３０ｅо,４０ｅоとが設けられ、各々の領域には横長の線状の切れ目であるスリット５０が設けられる。そして、上方領域におけるスリット５０の合計の長さを該上方領域の縦方向の長さで除した値は、下方領域におけるスリット５０の合計の長さを該下方領域の縦方向の長さで除した値よりも小さくなる。
【符号の説明】
【００７６】１  おむつ（吸収性物品）、１ＨＢ  胴回り開口、１ＨＬ  脚回り開口、１０  吸収性本体、１０ｅａ  端部、１０ｅｂ  端部、１１  吸収性コア（吸収体）、１１ｃ  くびれ部、１３  表面シート部材、１５  裏面シート部材、１５ａ  防漏シート、１５ｂ  外装シート、３０  腹側外装部材、３０ｅ  端部、３０ｅо  上方領域、３０ｅｃ  上方中央領域、３０ｃ  部分、３０ｃо  下方領域、３０ｃо１  重複領域、３０ｃо２  非重複領域、３０ｓｅ  腹側外装部材側縁部、３１  肌側シート、３２  非肌側シート、３５  弾性部材、４０  背側外装部材、４０ｅ  端部、４０ｅо  上方領域、４０ｅｃ  上方中央領域、４０ｃ  部分、４０ｃо  下方領域、４０ｃо１  重複領域、４０ｃо２  非重複領域、４０ｓｅ  背側外装部材側縁部、４１  肌側シート、４２  非肌側シート、４５  弾性部材、５０  スリット（切れ目）、５１  第１スリット、５２  第２スリット、７０  補強シート部材、Ｃ１０  中央部、Ｌ３０ｃ  下方領域３０ｃоの縦方向の長さ、Ｌ３０ｃ１  重複領域３０ｃо１の縦方向の長さ、Ｌ３０ｃ２  非重複領域３０ｃо２の縦方向の長さ、Ｌ３０ｅ  上方領域３０ｃоの縦方向の長さ、Ｌ４０ｃ  下方領域４０ｃоの縦方向の長さ、Ｌ４０ｃ１  重複領域４０ｃо１の縦方向の長さ、Ｌ４０ｃ２  非重複領域４０ｃо２の縦方向の長さ、Ｌ４０ｅ  上方領域４０ｃоの縦方向の長さ  
【要約】直交する縦方向と横方向とを有する吸収性物品であって、腹側外装部材と、背側外装部材と、排泄物を吸収する吸収体を備え、一端側が前記腹側外装部材の一部に、他端側が前記背側外装部材の一部にそれぞれ重ねて接合された吸収性本体と、を有し、前記腹側外装部材及び前記背側外装部材は、前記縦方向にて前記吸収性本体と重複し、前記横方向にて前記吸収性本体と重複しない下方領域と、前記縦方向及び前記横方向にて前記吸収性本体と重複しない上方領域とをそれぞれ有し、前記腹側外装部材及び前記背側外装部材の少なくとも一方に、前記横方向に所定の長さを有し前記一方の外装部材を貫通する線状の切れ目が、前記縦方向及び前記横方向に所定の間隔で設けられ、前記上方領域の前記線状の切れ目の合計の長さを、前記上方領域の前記縦方向の長さで除した値は、前記下方領域の前記線状の切れ目の合計の長さを、前記下方領域の前記縦方向の長さで除した値より小さい。【図１】
0006026053.tif 000002
【図３】
0006026053.tif 000003
【図４】
0006026053.tif 000004
【図５】
0006026053.tif 000005
【図６】
0006026053.tif 000006
【図７】
0006026053.tif 000007
【図２】
0006026053.tif 000008